(57)【要約】【課題】ドア開口縁部のコーナ部に装着される型成形部を備え、該型成形部がボデー４に固着のリテーナ５に装着される基底部１６と、基底部６より立上がる側壁７と、基底部６及び側壁７と共に中空部８を形成し、ドアを閉じたときドアガラス１１に弾接するシール壁９と、シール壁９より延出して、ボデー４に装着されるガーニッシュ１５とボデー４との間に差込まれるリップ１６とを有するハードトップ車用のドアウェザーストリップにおいて、ドアを閉じたときリップ１６が押込まれてガーニッシュ１５との間に隙間ができないようにする。【解決手段】リップ１６にボデー４に接触してリップ１６を支持する突起２２を形成する。【選択図】図５
2006205842.tif 000002
【特許請求の範囲】
【請求項１】
ボデー４のドア開口縁部のコーナ部ａに装着される型成形部３を備え、該型成形部３はボデー４に取付けられる基底部６と、該基底部６より立上がる側壁７と、基底部６及び側壁７と共に中空部８を形成し、ドアを閉じたときドアガラス１１に弾接するシール壁９と、該シール壁９より延出してボデー４に装着されるガーニッシュ１５とボデー４との間に差込まれるリップ１６とを有するハードトップ車用のボデーサイドウェザーストリップ２１、２５において、上記リップ１６にボデー４に接触してリップ１６を支持する突起２２、突条２６又は厚肉部を形成したことを特徴とするハードトップ車用のボデーサイドウェザーストリップ。
【請求項２】
リップ１６に突起２２、突条２６又は厚肉部を形成する代わりに基底部６より立上がり、リップ１６を支持する壁部２９を剛性の大なる壁部としたことを特徴とする請求項1記載のハードトップ車用のボデーサイドウェザーストリップ。
【発明の詳細な説明】
【技術分野】
【０００１】
本発明は、ハードトップ車のドア開口縁部に取付けられ、ドアを閉じたときにドアガラスとの間をシールするボデーサイドウェザーストリップに関し、ことにドア開口縁部のコーナ部に装着される型成形部を備えたボデーサイドウェザーストリップに関する。
【背景技術】
【０００２】
図１は、図２に示されるハードトップ車のＢピラー１上部とルーフ２側縁とのコーナ部ａに装着される型成形部３を備えた従来のボデーサイドウェザーストリップについて示すものであり、図３は、ドアを閉じてドアガラス１１に弾接したときの図１のＡ−Ａ線断面を示すもので、ボデーサイドウェザーストリップはボデー４に固着のリテーナ５に装着される基底部６と、該基底部６の一側より立上がる側壁７と、基底部６の他側より立上がる壁部２９と、側壁７及び壁部２９と一体に形成され、基底部６、側壁７及び壁部２９と共に中空部８を形成するシール壁９と、ドアガラス１１に弾接するシールリップ１２と、トリム１３端を覆うカバーリップ１４と、ボディ４とガーニッシュ１５との間に差込まれるリップ１６とからなり、ドアを閉じたとき、シール壁９とシールリップ１２がドアガラス１１に弾接してダブルシールを行うようになっている。なお、図１に示す三角印は、白抜き部分の側が押出成形部を、黒く塗り潰した部分の側が型成形部を示している。以下の図においても同様である。
【発明の開示】
【発明が解決しようとする課題】
【０００３】
図１に示すように、ボデーサイドウエザストリップのリップ１６は、コーナ部ａに装着される型成形部３においてコーナ部ａに沿うように側方に長く延出し、Ａ−Ａ線部分で最も長く延びている。そのためその先端部分では剛性が小さく、ドアを閉めてドアガラス１１でシール壁９を図３の矢印方向に押込んだとき、リップ１６も同じく矢印方向に押込まれてガーニッシュ１５との間に隙間ができ、シール不良と、外観が損なわれ易い難点があった。
【０００４】
本発明は、上記の問題を解消したボデーサイドウェザーストリップを提供することを目的とする。
【課題を解決するための手段】
【０００５】
第1の発明は、ボデーのドア開口縁部のコーナ部に装着される型成形部を備え、該型成形部はボデーに取付けられる基底部と、該基底部より立上がる側壁と、基底部及び側壁と共に中空部を形成し、ドアを閉じたときドアガラスに弾接するシール壁と、該シール壁より延出してボデーに装着されるガーニッシュとボデーとの間に差込まれるリップとを有するハードトップ車用のボデーサイドウェザーストリップにおいて、リップにボデーに接触してリップを支持する突起、突条又は厚肉部を形成したことを特徴とする。
【０００６】
本発明に係わるウェザーストリップは、ハードトップ車のドア開口縁部に取付けられるが、ハードトップ車は２ドアタイプのものであっても、３ドアのクーペタイプ、或いは４ドアタイプのものであってもよい。型成形部は２ドア或いは３ドアのクーペタイプのものにおいては、ルーフ側縁とボデー或いはＡピラーとの間のコーナ部に装着され、４ドアタイプのものにおいては、ルーフ側縁とＢピラー、或いはＡピラー又はＣピラーとの間のコーナ部に装着される。
【０００７】
本発明におけるウェザーストリップの基底部は、ボディにリテーナを介して装着されるが、他の方法、例えば両面接着テープによりボディに取付けてもよいし、クリップにより取付けてることもできる。また、リテーナ、両面接着テープ及びクリップを併用して取付けることもできる。
【０００８】
側壁は、基底部の一側に一つ設けてもよいし、図３に示すウェザーストリップの側壁７と壁部２９のように、両側に二つ設けてもよい。側壁が一つである場合、シール壁は側壁と基底部とに接続され、側壁が二つ設けられる場合には、シール壁は両側壁、図３に示す例では側壁７と壁部２９に接続される。
【０００９】
シール壁は、ドアを閉じたときドアガラスに弾接してドアガラスとの間をシールするが、ドアガラスとのシールをシール壁単独で行うようにしてもよいし、図３に示すようにドアガラス１１に弾接するシールリップ１２を別に設けてシール壁９と共にダブルシールを行うようにしてもよい。
【００１０】
突起、突条部又は厚肉部は、リップの延出方向に向けて一ないし複数形成してもよいし、リップの中間部或いは周縁部にリップの延出方向と適宜の角度で交差する方向に一ないし複数形成してもよい。
【００１１】
本発明のウェザーストリップには、通常図３に示すようなトリム端を覆うカバーリップが設けられるが、カバーリップは必須ではなく、場合によっては省くこともできる。
【００１２】
第２の発明は、第１の発明において、リップに突起、突条又は厚肉部を形成する代わりに基底部より立上がり、リップを支持する壁部を剛性の大なる壁部としたことを特徴とする。
【００１３】
リップを支持する壁部を剛性の大なる壁部とするには、壁部の肉厚を厚くしたり、壁部の材質を高剛性のものとするとよい。
【００１４】
好ましい発明では、第１の発明に第２の発明が組合せられ、第１の発明におけるリップを支持する壁部の剛性が上げられる。
【発明の効果】
【００１５】
第１の発明によると、リップは突起、突条又は厚肉部によりボデーに支持されているため、ドアを閉めてドアガラスでシール壁が押込まれても、シール壁と共に押込まれてガーニッシュとの間に隙間が生じることはないか、ほとんどない。
【００１６】
第２の発明によると、リップは剛性の大なる壁部で支持されているため、ドアを閉めてドアガラスでシール壁が押込まれてもリップが撓み難く、ガーニッシュとの間に隙間が生じ難い。
【発明を実施するための最良の形態】
【００１７】
図４は、コーナ部に装着する前の本発明に係わるウェザーストリップを底面から見た図について示すものであり、図５は図４のＢ−Ｂ線における断面を示すもので、図中、図１及び図３に示す構造と同一構造部分には同一符号を付して、その説明を省略する。
【００１８】
図４及び図５に示すウェザーストリップ２１は、型成形部３に形成されるリップ１６に該リップ１６の延出方向に向けて延び、ボデー４に接触してリップ１６を支持する突起２２を並設したものである。
【００１９】
本実施形態のウェザーストリップ２１によると、リップ１６は突起２２がボデー４に接触して支持されているため、ドアが閉じてドアガラス１１がシール壁９を押込んでもリップ１６が押込まれてガーニッシュ１５との間に隙間ができるようなことはない。
【００２０】
図６に示すウェザーストリップ２５は、上述の突起２を形成する代わりに、リップ１６の周縁に山形の突条２６を形成し、該突条２６によりリップ周縁をボデー４に支持させるようにしたものである。図示する突条２６は一か所のみ設けられているが、別の実施形態では複数並設され、更に別の実施形態では、複数に分割して形成される。
【００２１】
更に別の実施形態では、基底部６より立上がり、リップ１６を支持する壁部２９（図５）の肉厚を厚くして剛性が高められ、リップ１６が撓み難くされる。
【産業上の利用可能性】
【００２２】
本発明のボデーサイドウェザーストリップは、２ドアから４ドアタイプのハードトップ車において、ドア開口縁部のコーナ部に装着される。
【図面の簡単な説明】
【００２３】
【図１】ボデーサイドウェザーストリップを装着したドア開口縁部のコーナ部分を示す図。
【図２】ハードトップ車の一部を示す斜視図。
【図３】図１のＡ−Ａ線断面図。
【図４】本発明に係わるウェザーストリップを底面から見た斜視図。
【図５】図４のＢ−Ｂ線断面図。
【図６】本発明に係わるウェザーストリップの他の例の斜視図。
【符号の説明】
【００２４】
１・・Ｂピラー
２・・ルーフ
３・・型成形部
４・・ボデー
５・・リテーナ
６・・基底部
７・・側壁
８・・中空部
９・・シール壁
１１・・ドアガラス
１２・・シールリップ
１３・・トリム
１４・・カバーリップ
１５・・ガーニッシュ
１６・・リップ
２１、２５・・ウェザーストリップ
２２・・突起
２６・・突条
２９・・壁部
【図１】
2006205842.tif 000003
【図２】
2006205842.tif 000004
【図３】
2006205842.tif 000005
【図４】
2006205842.tif 000006
【図５】
2006205842.tif 000007
【図６】
2006205842.tif 000008